(57)【特許請求の範囲】
【請求項１】
給水ホースに接続された吐水ヘッドと、
前記吐水ヘッドを引き出し可能に保持するヘッドホルダと、
を備える水栓装置であって、
前記ヘッドホルダは、前記吐水ヘッドの状態を検出するための磁気センサを備え、
前記吐水ヘッドは、
磁石と、
前記磁石を収納するための磁石収納部を有する吐水口本体部と、
前記磁石が前記磁石収納部から抜け落ちるのを防止するための抜け止め部と、
前記吐水口本体部を外側から覆うヘッドカバーと、
を備え、
前記抜け止め部は、前記ヘッドカバーに形成される、水栓装置。
【請求項２】
給水ホースに接続された吐水ヘッドと、
前記吐水ヘッドを引き出し可能に保持するヘッドホルダと、
を備える水栓装置であって、
前記ヘッドホルダは、前記吐水ヘッドの状態を検出するための磁気センサを備え、
前記吐水ヘッドは、
磁石と、
前記磁石を収納するための磁石収納部を有する吐水口本体部と、
前記磁石が前記磁石収納部から抜け落ちるのを防止するための抜け止め部と、
を備え、
前記磁石収納部は、内部に侵入した水を排水するための排水路を備える、水栓装置。
【発明の詳細な説明】
【技術分野】
【０００１】
本発明は、水栓装置に関する。
【背景技術】
【０００２】
従来より、吐水口を備える吐水ヘッドを給水ホースとともにヘッドホルダから引き出し可能に構成された水栓装置が知られている（例えば特許文献１）。
【０００３】
上記のような水栓装置は、吐水ヘッドがヘッドホルダに保持された状態であるのか、ヘッドホルダから引き出された状態であるのかを検出するために、ヘッドホルダに磁気センサが設けられ、吐水ヘッドに磁石が設けられる場合がある。磁気センサが磁力を検出できる場合、吐水ヘッドがヘッドホルダに保持されていると判定できる。一方、磁気センサが磁力を検出できない場合、吐水ヘッドがヘッドホルダから引き出されていると判定できる。
【先行技術文献】
【特許文献】
【０００４】
【特許文献１】特開２０１０−５７７５３号公報
【発明の概要】
【発明が解決しようとする課題】
【０００５】
上記のような水栓装置では、吐水ヘッドに磁石を確実に取り付ける必要がある。
【０００６】
本発明は、このような課題に鑑みてなされ、その目的は、吐水ヘッドに磁石を確実に取り付けることのできる水栓装置を提供することにある。
【課題を解決するための手段】
【０００７】
上記課題を解決するために、本発明のある態様の水栓装置は、給水ホースに接続された吐水ヘッドと、吐水ヘッドを引き出し可能に保持するヘッドホルダとを備える。ヘッドホルダは、吐水ヘッドの状態を検出するための磁気センサを備える。吐水ヘッドは、磁石と、磁石を収納するための磁石収納部を有する吐水口本体部と、磁石が磁石収納部から抜け落ちるのを防止するための抜け止め部とを備える。
【発明の効果】
【０００８】
本発明によれば、吐水ヘッドに磁石を確実に取り付けることができる。
【図面の簡単な説明】
【０００９】
【図１】本発明の実施形態に係る水栓装置を備える洗面化粧台を示す斜視図である。
【図２】本発明の実施形態に係る水栓装置を示す斜視図である。
【図３】本発明の実施形態に係る水栓装置の吐水ヘッドおよびヘッドホルダを示す図である。
【図４】ヘッドホルダから吐水ヘッドを引き出した状態を示す図である。
【図５】吐水ヘッドの内部構造を説明するための斜視図である。
【図６】吐水ヘッドの内部構造を説明するための側面図である。
【図７】吐水ヘッドの内部構造を説明するための斜視図である。
【図８】ヘッドカバーの斜視図である。
【図９】磁石周辺の拡大図である。
【図１０】本発明の別の実施形態に係る水栓装置の吐水ヘッドを示す。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１は、本発明の実施形態に係る水栓装置１０を備える洗面化粧台１００を示す斜視図である。洗面化粧台１００は、洗面台１０１と、水栓装置１０と、ミラーキャビネット１０４と、ベースキャビネット１０５とを備える。
【００１２】
ベースキャビネット１０５は、床面に設置される。ベースキャビネット１０５は、本実施の形態では２つの引出を有しており、洗面用具、化粧品、その他の物品を収容できる。
【００１３】
洗面台１０１は、ベースキャビネット１０５に載置される。洗面台１０１は、洗面ボウル１０２と、カウンター１０３と、バックガード１０６と、排水栓１０７と、を含む。洗面ボウル１０２は、水栓装置１０から吐水される水を受ける。洗面ボウル１０２には、排水口１０２ａが設けられている。排水栓１０７は、排水口１０２ａに取り付けられ、排水口１０２ａを開閉する。カウンター１０３は、本実施の形態では、洗面ボウル１０２の両サイドに設けられる。カウンター１０３には、洗面用具、化粧品、タオル、その他の物品を載置できる。バックガード１０６は、洗面ボウル１０２の後方側において洗面ボウル１０２から上方に立設される。本実施形態では、洗面ボウル１０２、カウンター１０３およびバックガード１０６は、一体に形成される。
【００１４】
ミラーキャビネット１０４は、洗面台１０１の上方に設けられ、例えば壁面に固定される。ミラーキャビネット１０４は、収納棚１０９と、３つの収納扉１１１と、を含む。収納棚１０９には、棚板（図示せず）が設けられており、洗面用具、化粧品、その他の物品を収納できる。３つの収納扉１１１は、収納棚１０９を開閉可能に覆う扉であり、その前面側に鏡が取り付けられている。
【００１５】
水栓装置１０は、ミラーキャビネット１０４と洗面ボウル１０２およびカウンター１０３との間に設けられる。水栓装置１０は、ユーザによるレバー１１２の操作に応じて吐水する。
【００１６】
図２は、本発明の実施形態に係る水栓装置１０を示す斜視図である。水栓装置１０は、吐水ヘッド１２と、ヘッドホルダ２０と、給水ホース２１と、ベース１２２とを備える。
【００１７】
ベース１２２は、ミラーキャビネット１０４（図１参照）の底部に設けられる。ベース１２２は、底板部１２５と、右側壁部１２６と、左側壁部１２７と、後壁部１２８とを含む。底板部１２５は、平面視で略矩形であり、その長手方向は左右方向と略平行となる。
【００１８】
ベース１２２の右側壁部１２６には、取付部１２６ａが設けられている。取付部１２６ａには、上下に貫通する挿通孔１２６ｂが形成されている。同様に、ベース１２２の左側壁部１２７には、取付部１２７ａが設けられている。取付部１２７ａには、上下に貫通する挿通孔１２７ｂが形成されている。取付部１２６ａの挿通孔１２６ｂと取付部１２７ａの挿通孔１２７ｂとにネジを挿入してミラーキャビネット１０４の底部に設けられたネジ穴（図示せず）に螺入することにより、ベース１２２がミラーキャビネット１０４に取り付けられる。また、ベース１２２の後壁部１２８には挿通孔が形成されている。この挿通孔にネジ４２を挿入してバックガード１０６に設けられたネジ穴（図示せず）に螺入することにより、ベース１２２はバックガード１０６にも固定される。
【００１９】
ヘッドホルダ２０は、ベース１２２の底板部１２５に取り付けられる。吐水ヘッド１２は、ヘッドホルダ２０に着脱可能に保持される。吐水ヘッド１２は、ヘッドホルダ２０から引き出し方向Ｄに引き出し可能である。吐水ヘッド１２は、給水ホース２１を通じて流入した水を吐水口１３から、吐水させる。
【００２０】
図３は、本発明の実施形態に係る水栓装置１０の吐水ヘッド１２およびヘッドホルダ２０を示す図である。図４は、ヘッドホルダ２０から吐水ヘッド１２を引き出した状態を示す図である。
【００２１】
上述したように、ヘッドホルダ２０は、ベース１２２の底板部１２５に固定されている。ヘッドホルダ２０は、ヘッドホルダ本体３０と、ヘッドホルダカバー３１と、センサ３２とを備える。
【００２２】
ヘッドホルダ本体３０は、樹脂製の一体成形部材であり、センサ３２を保持するためのセンサ保持部３０ａと、給水ホース２１を誘導するためのホースガイド部３０ｂと、吐水ヘッド１２を誘導するための吐水ヘッドガイド部３０ｃと、ベース部３０ｄとを備える。
【００２３】
吐水ヘッドガイド部３０ｃは、引き出し方向Ｄに延在する部材であり、その先端部に吐水ヘッドガイド部３０ｃが立設されている。ホースガイド部３０ｂは、引き出し方向Ｄに延在する筒状の部材である。吐水ヘッドガイド部３０ｃおよびホースガイド部３０ｂは、ともにベース部３０ｄにより支持されている。センサ保持部３０ａは、引き出し方向から見て楕円弧状に形成されている。なお、センサ保持部３０ａの形状は楕円弧状に限定されず、例えば円弧状や矩形状であってよい。センサ保持部３０ａには開口部３０ｅが形成されており、該開口部３０ｅにセンサ３２のセンサ窓３２ａが配置されている。
【００２４】
ヘッドホルダカバー３１は、引き出し方向Ｄに延在する略半筒状体である。ヘッドホルダカバー３１の引き出し方向Ｄに垂直な断面形状は、センサ保持部３０ａに対応した形状、すなわち本実施形態では楕円弧状とされている。センサ保持部３０ａの形状が円弧状や矩形状の場合には、ヘッドホルダカバー３１の断面形状もそれに対応して円弧状や矩形状となる。ヘッドホルダカバー３１は、樹脂製又は金属製であってよい。ヘッドホルダカバー３１の表面には、意匠性を高める等の目的でメッキが施されている。
【００２５】
ヘッドホルダカバー３１は、ヘッドホルダ本体３０のセンサ保持部３０ａおよび吐水ヘッドガイド部３０ｃを覆うように配置される。センサ保持部３０ａおよび吐水ヘッドガイド部３０ｃとヘッドホルダカバー３１との間に形成される空間には、電気回路等を有するセンサ３２の本体部（図示せず）が配置される。
【００２６】
センサ３２は、例えば発光部と受光部を有する赤外線式センサであってよい。センサ３２は、発光部から投光された光の検知対象物からの反射光を受光部で受光することで、所定の検知エリア内における人体の手等の検知対象物の存否を検知する。センサ３２は、吐水口１３の下方に使用者が手を差し出したとき、これを検知する。センサ３２により人体検知されると、制御部（図示せず）により電磁弁（図示せず）が開弁され、吐水口１３から自動的に吐水される。その後、使用者が手を引き込めてセンサ３２の検知エリアから外れると、センサ３２が人体非検知となり、制御部により電磁弁が閉弁されて、吐水口１３からの吐水が停止される。このように、水栓装置１０は、レバー１１２（図１参照）の操作に依らず自動的に吐水する自動吐水機能を有する。この自動吐水機能により、センサ３２により検知対象物が検知された間のみ吐水させることができるため、節水を図ることができる。
【００２７】
センサ保持部３０ａおよび吐水ヘッドガイド部３０ｃとヘッドホルダカバー３１との間に形成される空間には、吐水ヘッド１２の状態、すなわち、吐水ヘッド１２がヘッドホルダ２０に保持された状態であるのか、ヘッドホルダ２０から引き出された状態であるのか、を検出するための磁気センサ（図示せず）も配置される。この磁気センサは、ホールＩＣであってよい。後述するように、吐水ヘッド１２には磁石が設けられる。磁気センサが磁力を検出できる場合、吐水ヘッド１２がヘッドホルダ２０に保持されていると判定できる。一方、磁気センサが磁力を検出できない場合、吐水ヘッド１２がヘッドホルダ２０から引き出されていると判定できる。
【００２８】
吐水ヘッド１２がヘッドホルダ２０に保持されていると判定された場合、上述の自動吐水機能は有効とされる。一方、吐水ヘッド１２がヘッドホルダ２０から引き出されていると判定された場合、自動吐水機能は停止される。吐水ヘッド１２がヘッドホルダ２０から引き出された状態で自動吐水機能が有効であると、検知エリア内に意図せず手や物が入り吐水された場合に洗面ボウルの周囲や使用者に水がかかり濡らしてしまう虞があり、使用者にとって不便である。本実施形態のように吐水ヘッド１２がヘッドホルダ２０から引き出されている場合には自動吐水機能を停止することにより、利便性を向上できる。
【００２９】
吐水ヘッド１２は、吐水口１３と、給水ホース２１からの水を吐水口１３に導くための導水部材（図示せず）と、吐水口１３からの吐水をストレート吐水からシャワー吐水に又はその逆に切換操作する切換操作部３４と、吐水口１３、切換操作部３４および導水部材を保持する吐水口本体部３３と、吐水口本体部３３を外側から覆うヘッドカバー３５とを備える。
【００３０】
吐水口本体部３３は、引き出し方向Ｄの奥側（すなわち吐水口１３と反対側）にホースガイド部３０ｂと嵌合するよう形成された凹部（図示せず）を有する。吐水ヘッド１２がヘッドホルダ２０に装着されるとき、この凹部がホースガイド部３０ｂと嵌合することで、吐水ヘッド１２がヘッドホルダ２０に保持される。
【００３１】
吐水ヘッド１２がヘッドホルダ２０に保持された状態において、吐水ヘッドガイド部３０ｃの吐水ヘッド１２と対向する面（以下、ガイド面３０ｆと呼ぶ）は、略平面状に形成されている。また、吐水口本体部３３のガイド面３０ｆと対向する面（以下、被ガイド面３３ａと呼ぶ）も略平面状に形成されている。引き出された吐水ヘッド１２をヘッドホルダ２０に装着する際には、吐水ヘッド１２の被ガイド面３３ａをヘッドホルダ２０のガイド面３０ｆに当接させてスライドさせることにより、吐水ヘッド１２が装着に適した姿勢に誘導される。これにより、吐水ヘッド１２をヘッドホルダ２０に装着する作業が容易となる。
【００３２】
ヘッドカバー３５は、引き出し方向Ｄに延在する略半筒状体である。ヘッドカバー３５の引き出し方向Ｄに垂直な断面形状は、楕円弧状とされている。吐水ヘッド１２がヘッドホルダ２０に装着されると、ヘッドホルダ２０のヘッドホルダカバー３１と吐水ヘッド１２のヘッドカバー３５は断面楕円状の略筒状体となる。ヘッドカバー３５は、樹脂製又は金属製であってよい。ヘッドカバー３５の表面には、意匠性を高める等の目的でメッキが施されている。
【００３３】
図５は、吐水ヘッド１２の内部構造を説明するための斜視図である。図５では、吐水ヘッド１２の内部構造を明確に示すために、吐水口本体部３３の被ガイド面３３ａを含む部分が切り取られている。
【００３４】
図５に示すように、吐水ヘッド１２は、吐水口１３と、導水部材５０と、切換操作部３４と、吐水口１３、切換操作部３４および導水部材５０を保持する吐水口本体部３３と、吐水口本体部３３を外側から覆うヘッドカバー３５と、磁石５１と、を備える。
【００３５】
吐水口本体部３３は、引き出し方向Ｄに延在する部材である。吐水口本体部３３の略中央部には、磁石５１を収納するための磁石収納部５２が形成されている。
【００３６】
磁石５１は、磁石収納部５２内に収納されている。この磁石５１からの磁力をヘッドホルダ２０の磁気センサで検知することで、吐水ヘッド１２の状態を判定することができる。本実施形態において、磁石５１の形状は円盤状であるが、磁石５１の形状は特に限定されない。
【００３７】
図６は、吐水ヘッド１２の内部構造を説明するための側面図である。図６では、吐水ヘッド１２の内部構造を明確に示すために、ヘッドカバー３５および磁石５１が取り外されている。図７は、吐水ヘッド１２の内部構造を説明するための斜視図である。図７では、吐水ヘッド１２の内部構造を明確に示すために、ヘッドカバー３５および磁石５１が取り外され、さらに吐水口本体部３３の被ガイド面３３ａを含む部分が切り取られている。
【００３８】
図６および図７に示すように、磁石収納部５２は、吐水口本体部３３の略中央部に形成された凹部であり、上面５２ａと、底面５２ｂと、側面５２ｃとから成る。上面５２ａは、被ガイド面３３ａの反対側の面である。図７に示すように、磁石収納部５２は、引き出し方向Ｄに垂直な右横方向に開口部５２ｄを有する。磁石５１は、この開口部５２ｄから磁石収納部５２内に挿入される。
【００３９】
側面５２ｃは、磁石収納部５２内に挿入された磁石５１が動くことがないように、磁石５１の外径に合わせた寸法および形状とされている。しかしながら、単に磁石収納部５２内に磁石５１を挿入しただけでは、磁石５１が磁石収納部５２から抜け落ちる可能性がある。そこで、吐水ヘッド１２は、図５に示すように、磁石５１が磁石収納部５２から抜け落ちるのを防止するための抜け止め部５５を備える。本実施形態では、この抜け止め部５５は、ヘッドカバー３５と一体的に形成されている。本実施形態では、磁石が配線の出ていない取扱い易い部品であり、電子部品と比較して耐水性もあることを利用し、磁石収納部５２に挿入して抜け止めするだけの簡易な構造で取り付けている。
【００４０】
図８は、ヘッドカバー３５の斜視図である。図８に示すように、ヘッドカバー３５の内壁３５ａからカバー内側に向かって支持部５６が形成されており、該支持部５６の先端に抜け止め部５５が引き出し方向Ｄに沿って延在している。なお、図５では、支持部５６の一部が切り取られており、図示されていない。
【００４１】
ヘッドカバー３５を吐水口本体部３３に装着する際には、まず給水ホース２１をヘッドカバー３５内に通し、給水ホース２１側からヘッドカバー３５をスライドさせて吐水口本体部３３に覆い被せる。ヘッドカバー３５を吐水口本体部３３に装着すると、抜け止め部５５によって磁石収納部５２の開口部５２ｄが塞がれる。これにより、磁石５１の抜け落ちが防止される。また、磁石収納部５２の開口部５２ｄを塞いだ状態において、抜け止め部５５は磁石５１と当接する。これにより、磁石５１の磁石収納部５２内でのがたつきが防止される。
【００４２】
本実施形態では、ヘッドカバー３５に抜け止め部５５を一体的に形成している。これにより、抜け止め用の部材を別途用意する必要がないため、部品点数を少なくでき、組み立ての作業性を向上できるとともに、水栓装置１０のコストダウンを図ることができる。
【００４３】
図６および図７に示すように、磁石収納部５２の底面５２ｂには、排水路５２ｅが形成されている。排水路５２ｅは、底面５２ｂに形成された溝部である。この排水路５２ｅは、磁石収納部５２内に侵入した水を外部に排出する機能を有する。排水路５２ｅから水を排出することにより、磁石収納部５２内に水が長期間溜まり難くなるため、磁石５１の錆を防止できる。
【００４４】
図９は、磁石５１周辺の拡大図である。上記では、抜け止め部５５は磁石収納部５２の開口部５２ｄを塞いでいると述べた。しかしながら、図９に示すように、抜け止め部５５は磁石収納部５２の開口部５２ｄを完全には塞いでおらず、抜け止め部５５の先端と側面５２ｃとの間には隙間５７が存在する。このような隙間５７を設けることにより、磁石収納部５２内に侵入した水の排水性をさらに高めることができる。このように隙間５７を設ける場合でも、磁石５１を磁石収納部５２内に確実に保持するために、抜け止め部５５の先端部は磁石５１（磁石収納部５２）の中心（一点鎖線で示す）を超えて延在していることが望ましい。もしくは、隙間を磁石の半分の幅以下にしていることが望ましい。また、隙間を無くして抜け止め部５５に排水孔を設けてもよい。
【００４５】
図１０は、本発明の別の実施形態に係る水栓装置の吐水ヘッドを示す。上述の実施形態では、ヘッドカバー３５に抜け止め部を形成したが、抜け止め部は、吐水口本体部３３の磁石収納部５２に形成されてもよい。本変形例では、磁石収納部５２の側面５２ｃの両端に、抜け止め部として爪部５２ｆ、５２ｇが形成されている。爪部５２ｆ、５２ｇは、磁石収納部５２内に磁石５１を係止し、磁石５１の抜け落ちを防止している。
【００４６】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００４７】
上記では、磁石収納部５２の開口部５２ｄが引き出し方向Ｄに垂直な横方向に開口している例を説明したが、開口部５２ｄの開口する方向はこれに限定されない。例えば、開口部５２ｄは、上下方向や引出し方向Ｄに平行な前後方向に開口していてもよい。また、上記では開口部５２ｄが一方向（一つの面）に一か所設けられる例を説明したが、開口部５２ｄは二方向（二つの面）にまたがって開口していてもよいし、複数設けられてもよい。
【００４８】
以上の記載から、下記の発明が認識される。
本発明のある態様の水栓装置は、給水ホースに接続された吐水ヘッドと、吐水ヘッドを引き出し可能に保持するヘッドホルダとを備える。ヘッドホルダは、吐水ヘッドの状態を検出するための磁気センサを備える。吐水ヘッドは、磁石と、磁石を収納するための磁石収納部を有する吐水口本体部と、磁石が磁石収納部から抜け落ちるのを防止するための抜け止め部とを備える。この態様によれば、抜け止め部を設けたことにより、磁石収納部に磁石を確実に取り付けることができる。
【００４９】
吐水ヘッドは、吐水口本体部を外側から覆うヘッドカバーをさらに備えてもよい。抜け止め部は、ヘッドカバーに形成されてもよい。
【００５０】
抜け止め部は、磁石収納部に形成されてもよい。
【００５１】
磁石収納部は、内部に侵入した水を排水するための排水路を備えてもよい。
【００５２】
本発明の別の態様は、吐水ヘッドである。この吐水ヘッドは、磁気センサを有するヘッドホルダに引き出し可能に保持される吐水ヘッドであって、磁石と、磁石を収納するための磁石収納部を有する吐水口本体部と、磁石が磁石収納部から抜け落ちるのを防止するための抜け止め部とを備える。
【符号の説明】
【００５３】
１０  水栓装置、  １２  吐水ヘッド、  １３  吐水口、  ２０  ヘッドホルダ、  ２１  給水ホース、  ３０  ヘッドホルダ本体、  ３１  ヘッドホルダカバー、  ３２  センサ、  ３３  吐水口本体部、  ３４  切換操作部、  ３５  ヘッドカバー、  ５０  導水部材、  ５１  磁石、  ５２  磁石収納部、  ５５  抜け止め部、  ５６  支持部、  ５７  隙間、  １００  洗面化粧台、  １０１  洗面台、  １０２  洗面ボウル、  １０２ａ  排水口、  １０３  カウンター、  １０４  ミラーキャビネット、  １０５  ベースキャビネット、  １０６  バックガード。
【図１】
0006671976.tif 000002
【図２】
0006671976.tif 000003
【図３】
0006671976.tif 000004
【図４】
0006671976.tif 000005
【図５】
0006671976.tif 000006
【図６】
0006671976.tif 000007
【図７】
0006671976.tif 000008
【図８】
0006671976.tif 000009
【図９】
0006671976.tif 000010
【図１０】
0006671976.tif 000011